(57)【要約】【課題】ボリュームデータに基づいて解剖学的な位置関係を容易に把握可能な画像を生成すること。【解決手段】本実施形態に係る医用画像処理装置は、取得部と、変形部と、画像生成部と、を有する。前記取得部は、第１モダリティによる被検体の撮影時における前記被検体の第１体位を取得する。前記変形部は、前記被検体に対して設定された目的の体位と前記第１体位との差分に基づいて、前記第１モダリティによる前記被検体の撮影により得られたボリュームデータにおける複数の第１ランドマークを基準として、前記ボリュームデータを変形させた変形ボリュームを生成する。前記画像生成部は、前記変形ボリュームに基づいて透視画像を生成する。【選択図】図２
2020058637.tif 000002
【特許請求の範囲】
【請求項１】
第１モダリティによる被検体の撮影時における前記被検体の第１体位を取得する取得部と、
前記被検体に対して設定された目的の体位と前記第１体位との差分に基づいて、前記第１モダリティによる前記被検体の撮影により得られたボリュームデータにおける複数の第１ランドマークを基準として、前記ボリュームデータを変形させた変形ボリュームを生成する変形部と、
前記変形ボリュームに基づいて透視画像を生成する画像生成部と、
を具備する医用画像処理装置。
【請求項２】
前記取得部は、第２モダリティによる前記被検体の撮影時における前記被検体の第２体位を取得し、
前記変形部は、
前記第２モダリティによる前記被検体の撮影により生成された投影画像における複数の第２ランドマークと前記第１ランドマークとの位置比較により、ランドマーク間の差分を算出し、
前記ランドマーク間の差分に基づいて、前記変形ボリュームを生成する、
請求項１に記載の医用画像処理装置。
【請求項３】
前記投影画像は、前記被検体の血管における流体指標を計測するために前記血管内に挿入されたデバイスの先端部分を含むデバイス領域を有し、
前記透視画像における前記第1ランドマークと前記投影画像における前記第２ランドマークとを用いて前記透視画像と前記投影画像との位置合わせを実行することにより、前記透視画像において、前記先端部分の位置を示す先端位置を特定する特定部と、
前記ボリュームデータの血管領域における流体解析により、前記流体指標に対応し、前記血管領域における複数の位置にそれぞれ対応する複数の解析指標を算出する算出部と、をさらに具備し、
前記複数の解析指標のうち前記先端位置における解析指標と前記流体指標とを、前記透視画像に重畳させて表示する表示部と、
をさらに具備する請求項２に記載の医用画像処理装置。
【請求項４】
前記特定部は、前記血管領域における血管径と前記デバイスの直径とに基づいて、前記血管において前記デバイスが挿入可能な限界位置を特定し、
前記表示部は、前記限界位置を前記透視画像にさらに重畳させて表示する、
請求項３に記載の医用画像処理装置。
【請求項５】
前記表示部は、前記複数の解析指標のうち、前記血管領域において前記限界位置より上流部分における解析指標を、前記透視画像に重畳させて表示する、
請求項４に記載の医用画像処理装置。
【請求項６】
前記表示部は、前記透視画像において、前記限界位置を境界として前記複数の解析指標の表示態様を異ならせて表示する、
請求項４または５に記載の医用画像処理装置。
【請求項７】
前記表示部は、
前記透視画像に前記投影画像を重畳させて表示する、または前記流体指標が重畳された前記投影画像と前記複数の解析指標が重畳された前記透視画像とを並列表示する、
請求項３乃至６のうちいずれか一項に記載の医用画像処理装置。
【請求項８】
前記ボリュームデータは、前記被検体における右冠動脈および左冠動脈に対応する冠動脈領域を有し、
前記算出部は、前記右冠動脈または前記左冠動脈に対する選択指示に応じて、選択された冠動脈に造影剤を流入させた計算を実行し、
前記画像生成部は、前記計算の結果を、前記透視画像に重畳させる、
請求項３乃至７のうちいずれか一項に記載の医用画像処理装置。
【請求項９】
前記画像生成部は、前記投影画像の生成時に実施された画像処理を実行することにより前記透視画像を生成する、
請求項２乃至８のうちいずれか一項に記載の医用画像処理装置。
【請求項１０】
前記画像生成部は、
前記第１ランドマークを有する第１領域の大きさが前記第２ランドマークを有する第２領域の大きさに一致するように、前記透視画像を生成する、
請求項２乃至９のうちいずれか一項に記載の医用画像処理装置。
【請求項１１】
前記画像生成部は、
前記投影画像における臓器領域と骨領域との相対的な位置関係に基づいて、第１投影方向と視点とを決定し、
前記第１投影方向を基準として複数の第２投影方向各々と前記視点とを用いて前記ボリュームデータに対して最大値投影処理を実行することにより複数の最大値投影画像を生成し、
前記複数の最大値投影画像各々と前記投影画像とを比較することにより、前記複数の最大値投影画像のうち前記投影画像に最も整合する最大値投影画像を特定し、
前記特定された最大値投影画像に関する第２投影方向と前記視点とを用いて、前記透視画像を生成する、
請求項２乃至１０のうちいずれか一項に記載の医用画像処理装置。
【請求項１２】
前記画像生成部は、
前記変形ボリュームから、前記第１ランドマークを含む骨領域と血管を含む臓器領域とを抽出し、
前記骨領域の透過度を、透視撮影に対応する透過度に変更し、
前記変更された透過度を有する前記骨領域と前記臓器領域とに対して最大値投影処理をそれぞれ実行することにより、骨投影画像と臓器投影画像とを生成し、
前記臓器投影画像に前記骨投影画像を重畳することにより、前記透視画像を生成する、
請求項１乃至１０のうちいずれか一項に記載の医用画像処理装置。
【請求項１３】
前記画像生成部は、前記骨領域における骨部の種類に応じて前記骨領域における複数の部分領域各々の透過度を変更して、前記透視画像を生成する、
請求項１２に記載の医用画像処理装置。
【請求項１４】
前記画像生成部は、
前記変形ボリュームから、プラーク領域と石灰化領域とのうち少なくともひとつの領域を抽出し、
前記抽出された領域が重畳された前記透視画像を生成する、
請求項１乃至１３のうちいずれか一項に記載の医用画像処理装置。
【請求項１５】
前記画像生成部は、前記被検体の血管内に挿入されるデバイスを示すモデルを前記透視画像に重畳させる指示に応答して、前記モデルを重畳させた前記透視画像を生成する、
請求項１乃至１４のうちいずれか一項に記載の医用画像処理装置。
【請求項１６】
前記変形部は、前記血管に前記デバイスのモデルが配置された場合における前記血管の蛇行の変化に応じて、前記透視画像における前記血管の領域を変形させる、
請求項１５に記載の医用画像処理装置。
【請求項１７】
医用画像診断装置による被検体の撮影時における前記被検体の体位を取得する取得部と、
前記体位と前記被検体に対して設定された目的体位との差分に基づいて、前記医用画像診断装置による前記被検体の撮影により得られたボリュームデータにおける複数の解剖学的標識点を基準として、前記ボリュームデータを変形させた変形ボリュームを生成する変形部と、
前記変形ボリュームに基づいて透視画像を生成する画像生成部と、
を具備するＸ線診断装置。
【請求項１８】
医用画像診断装置による被検体の撮影時における前記被検体の体位を取得する取得部と、
前記体位と前記被検体に対して設定された目的体位との差分に基づいて、前記医用画像診断装置による前記被検体の撮影により得られたボリュームデータにおける複数の解剖学的標識点を基準として、前記ボリュームデータを変形させた変形ボリュームを生成する変形部と、
前記変形ボリュームに基づいて透視画像を生成する画像生成部と、
前記透視画像を表示する表示部と、
を具備する医用画像処理システム。
【発明の詳細な説明】
【技術分野】
【０００１】
本発明の実施形態は、医用画像処理装置、Ｘ線診断装置、および医用画像処理システムに関する。
【背景技術】
【０００２】
被検体への造影剤の投与後にＸ線コンピュータ断層撮影装置により得られたボリュームデータは、被検体への造影剤の投与後にＸ線診断装置により得られた画像（以下、アンギオ画像と呼ぶ）に類似した画像（例えば、アンギオグラフィックビューなど）に変換されて表示されることがある。アンギオ画像に類似したアンギオグラフィックビューは、例えば、被検体の心臓領域が抽出されたボリュームデータに対して、最大値投影（Ｍａｘｉｍｕｍ  Ｉｎｔｅｎｓｉｔｙ  Ｐｒｏｊｅｃｔｉｏｎ：以下、ＭＩＰと呼ぶ）処理を実行することで、生成される。
【０００３】
アンギオグラフィックビューは例えば心臓領域の抽出後のボリュームデータに対するＭＩＰ処理により生成されるため、被検体の背骨、胸骨、および肋骨等の骨領域は、アンギオグラフィックビューには映らない。また、骨領域を含むボリュームデータに対するＭＩＰ処理により、背骨、胸骨および肋骨を含む画像（以下、ＭＩＰ画像と呼ぶ）が作成された場合、骨領域のＣＴ値は他の組織より高いために、アンギオ画像と同様な画像は生成できない。
【０００４】
また、Ｘ線診断装置とＸ線コンピュータ断層撮影装置とにおいて、造影剤を投与後の被検体に対する撮像の目的は同様であるにもかかわらず、アンギオ画像とアンギオグラフィックビューとは位置合わせが困難な場合がある。このため、例えば、これらの画像間において解剖学的な位置関係を直感的に操作者が把握しにくいという問題がある。
【発明の概要】
【発明が解決しようとする課題】
【０００５】
目的は、ボリュームデータに基づいて解剖学的な位置関係を容易に把握可能な画像を生成することである。
【課題を解決するための手段】
【０００６】
本実施形態に係る医用画像処理装置は、取得部と、変形部と、画像生成部と、を有する。前記取得部は、第１モダリティによる被検体の撮影時における前記被検体の第１体位を取得する。前記変形部は、前記被検体に対して設定された目的の体位と前記第１体位との差分に基づいて、前記第１モダリティによる前記被検体の撮影により得られたボリュームデータにおける複数の第１ランドマークを基準として、前記ボリュームデータを変形させた変形ボリュームを生成する。前記画像生成部は、前記変形ボリュームに基づいて透視画像を生成する。
【図面の簡単な説明】
【０００７】
【図１】図１は、第１の実施形態における医用画像処理システムの構成の一例を示す図である。
【図２】図２は、第１の実施形態において、透視画像生成処理の手順の一例を示すフローチャートである。
【図３】図３は、第１の実施形態における透過度対応表の一例を示す図である。
【図４】図４は、第１の実施形態において、透過度を変更する前の骨ＭＩＰ画像の一例を示す図である。
【図５】図５は、第１の実施形態において、透過度を変更後の骨ＭＩＰ画像の一例を示す図である。
【図６】図６は、第１の実施形態において、撮影対象部位が心臓である場合の臓器ＭＩＰ画像の一例を示す図である。
【図７】図７は、第１の実施形態において、透視画像生成処理により生成された透視画像の一例を示す図である。
【図８】図８は、第１の実施形態において、血管の性状が重畳された透視画像の一例を示す図である。
【図９】図９は、第１の実施形態の変形例における透視画像生成処理の手順の一例を示すフローチャートである。
【図１０】図１０は、第１の実施形態の第１の応用例において生成された透視画像の一例を示す図である。
【図１１】図１１は、第１の実施形態の第２の応用例において、デバイスを血管に模擬的に挿入した場合の血管の蛇行の変化の一例を示す図である。
【図１２】図１２は、第２の実施形態におけるＸ線診断装置の構成の一例を示す図である。
【図１３】図１３は、第２の実施形態における透視画像生成処理の手順の一例を示すフローチャートである。
【図１４】図１４は、第２の実施形態において、透視画像生成処理により生成された透視画像と、投影画像とを並列表示した一例を示す図である。
【図１５】図１５は、第２の実施形態の変形例において、ＭＩＰ処理に用いられる視線方向の決定に関する処理の概要の一例を示す概要図である。
【図１６】図１６は、第３の実施形態において、処理回路の構成の一例を示す図である。
【図１７】図１７は、第３の実施形態における流体指標重畳処理の手順の一例を示す図である。
【図１８】図１８は、第３の実施形態において、プレッシャワイヤと実測の流体指標とが重畳された投影画像の一例を示す図である。
【図１９】図１９は、第３の実施形態において、解析指標と流体指標とワイヤモデルとが重畳された透視画像の一例を示す図である。
【図２０】図２０は、第３の実施形態の第１の応用例において、デバイスを血管に挿入可能な限界を示す限界位置を透視画像に重畳した一例を示す図である。
【図２１】図２１は、第３の実施形態の第１の応用例において、限界位置を含む上流部分における複数の解析指標と限界位置とを重畳した透視画像の一例を示す図である。
【図２２】図２２は、第３の実施形態の第１の応用例において、限界位置と複数の解析指標とを、限界位置を境界として異なる表示態様で透視画像に重畳した一例を示す図である。
【図２３】図２３は、第３の実施形態の第１の応用例において、臓器領域に隣接する血管領域の複数点各々の近傍に解析指標を重畳した透視画像の一例を示す図である。
【図２４】図２４は、第３の実施形態の第２の応用例において、選択された冠動脈に造影剤を模擬的に流入させたシミュレーション結果が重畳された透視画像の一例を示す図である。
【発明を実施するための形態】
【０００８】
以下、図面を参照して、実施形態に関する医用画像処理装置、Ｘ線診断装置、および医用画像処理システムについて説明する。なお、以下の説明において、略同一の機能及び構成を有する構成要素については、同一符号を付し、重複説明は、適宜、必要に応じて行う。
【０００９】
（第１の実施形態）  
図１は、本実施形態における医用画像処理システム１００の構成の一例を示す図である。医用画像処理システム１００は、複数の医用画像診断装置（モダリティ）１０と画像保管装置２０と、医用画像処理装置３０とを有する。図１に示すように、医用画像診断装置１０、画像保管装置２０及び医用画像処理装置３０は、無線、有線を問わず、ネットワークを介して相互に通信可能に接続される。ネットワークは、例えば、ＬＡＮ（Ｌｏｃａｌ  Ａｒｅａ  Ｎｅｔｗｏｒｋ）である。なお、ＶＰＮ（Ｖｉｒｔｕａｌ  Ｐｒｉｖａｔｅ  Ｎｅｔｗｏｒｋ）等によりセキュリティが確保されるのであれば、接続される回線はＬＡＮに限定されない。このとき、ネットワークは、例えば、インターネット等、公衆の通信回線であってもよい。  
【００１０】
なお、医用画像処理システム１００は、例えば、操作者により使用されるクライアント装置には必要最低限の処理を実行させ、大部分の処理をサーバ装置に実行させるシンクライアント（Ｔｈｉｎ  Ｃｌｉｅｎｔ）の形態で実施されてもよい。このとき、医用画像処理装置３０は、サーバ装置として機能する。また、医用画像処理システム１００がシンクライアントの形態で実施される場合、不図示のクライアント装置は、例えば、後述する入力インターフェースとディスプレイとメモリと制御機能を有する処理回路とを有する端末装置として、ネットワークに接続される。このとき、端末装置は、例えば、医用画像表示装置として機能してもよい。
【００１１】
複数の医用画像診断装置１０は、被検体Ｐに対して撮像を実行し、医用画像データを収集する。医用画像診断装置１０は、例えば、被検体Ｐにおける血管が描出された医用画像データを収集する。医用画像診断装置は、収集された医用画像データを、画像保管装置２０及び医用画像処理装置３０に送信する。以下、説明を具体的にするために、複数の医用画像診断装置１０は、Ｘ線コンピュータ断層撮影（Ｃｏｍｐｕｔｅｄ  Ｔｏｍｏｇｒａｐｈｙ：以下、ＣＴと呼ぶ）装置（第１モダリティ）とＸ線診断装置（第２モダリティ）であるものとする。なお、第１モダリティは、Ｘ線ＣＴ装置に限定されず、磁気共鳴イメージング（Ｍａｇｎｅｔｉｃ  Ｒｅｓｏｎａｎｃｅ  Ｉｍａｇｉｎｇ）装置など、ボリュームデータを取得可能な他の撮像装置であってもよい。  
【００１２】
Ｘ線ＣＴ装置は、被検体Ｐに対するＣＴスキャンにより、被検体Ｐに関するボリュームデータを収集する。このとき、ボリュームデータには、スキャン条件が付帯される。ＣＴスキャン条件は、例えば、撮影対象部位、スキャン方式、ビュー数、管電圧、管電流、ＣＴスキャンの実行時における被検体Ｐの体位（姿勢）などを有する。
【００１３】
Ｘ線診断装置は、被検体Ｐに対するＸ線撮影により、被検体Ｐに関する投影画像のデータを収集する。このとき、投影画像のデータには、Ｘ線撮影条件が付帯される。Ｘ線撮影条件は、例えば、撮影対象部位、管電圧、管電流、照射時間、管電流（ｍＡ）と照射時間（ｓ）との積（以下、管電流時間積（ｍＡｓ）と呼ぶ）、Ｘ線撮影の実行時における被検体Ｐの体位（姿勢）などを有する。スキャン条件およびＸ線撮影条件は、撮像条件に相当する。ボリュームデータおよび投影画像のデータは、医用画像データに相当する。体位とは、被検体Ｐに対する撮影時における被検体Ｐの姿勢である。例えば、スキャン条件における体位は、背臥位、両上肢挙上、仰臥位、側臥位、腹臥位などである。また、Ｘ線撮影条件における体位は、例えば、仰臥位、側臥位、両上肢下垂などである。なお、被検体Ｐの体位は、撮像条件に含まれなくてもよい。
【００１４】
画像保管装置２０は、医用画像診断装置１０によって収集された医用画像データを保管する装置である。画像保管装置２０は、ネットワークを介して医用画像診断装置１０から医用画像データを取得し、取得した医用画像データを、装置内又は装置外に設けられたメモリに記憶させる。例えば、画像保管装置２０は、サーバ装置等のコンピュータ機器によって実現される。
【００１５】
医用画像処理装置３０は、ネットワークを介して、医用画像診断装置１０または画像保管装置２０から医用画像データを取得し、取得された医用画像データを用いて種々の処理を実行する。医用画像処理装置３０は、例えば、ワークステーション等のコンピュータ機器によって実現される。なお、ネットワークを介して接続可能であれば、医用画像診断装置１０、画像保管装置２０及び医用画像処理装置３０が設置される場所は任意である。例えば、医用画像処理装置３０は、医用画像診断装置１０と異なる施設、病院等に設置されてもよい。また、医用画像処理装置３０は、Ｘ線診断装置などの医用画像診断装置１０に搭載されてもよい。
【００１６】
図１に示すように、医用画像処理装置３０は、入力インターフェース３１と、ディスプレイ３２と、メモリ３３と、処理回路３４とを有する。
【００１７】
入力インターフェース３１は、操作者からの各種の入力操作を受け付け、受け付けた入力操作を電気信号に変換し、変換された電気信号を処理回路３４に出力する。例えば、入力インターフェース３１は、マウスやキーボード、トラックボール、スイッチ、ボタン、ジョイスティック、操作面へ触れることで入力操作を行うタッチパッド、表示画面とタッチパッドとが一体化されたタッチスクリーン、光学センサを用いた非接触入力回路、音声入力回路等により実現される。なお、入力インターフェース３１は、医用画像処理装置３０と無線通信可能なタブレット端末等で構成されてもよい。また、入力インターフェース３１は、マウスやキーボード等の物理的な操作部品を備えるものだけに限られない。例えば、医用画像処理装置３０とは別体に設けられた外部の入力機器から入力操作に対応する電気信号を受け取り、この電気信号を処理回路３４へ出力する電気信号の処理回路も入力インターフェース３１の例に含まれる。入力インターフェース３１は、入力部の実現手段の一例である。
【００１８】
ディスプレイ３２は、処理回路３４における制御機能による制御のもとで、各種の情報を表示する。例えば、ディスプレイ３２は、処理回路３４により生成された各種画像を表示する。また、ディスプレイ３２は、入力インターフェース３１を介して操作者から各種指示や各種設定等を受け付けるためのＧＵＩ（Ｇｒａｐｈｉｃａｌ  Ｕｓｅｒ  Ｉｎｔｅｒｆａｃｅ）を表示する。ディスプレイ３２としては、種々の任意のディスプレイが、適宜使用可能である。例えば、ディスプレイ３２としては、液晶ディスプレイ、ＣＲＴ（Ｃａｔｈｏｄｅ  Ｒａｙ  Ｔｕｂｅ）ディスプレイ、有機ＥＬ（Ｅｌｅｃｔｒｏ−Ｌｕｍｉｎｅｓｃｅｎｃｅ）ディスプレイ、またはプラズマディスプレイが使用可能である。ディスプレイ３２は、デスクトップ型でもよいし、医用画像処理装置３０と無線通信可能なタブレット端末等で構成されてもよい。ディスプレイ３２は、表示部の実現手段の一例である。
【００１９】
メモリ３３は、例えば、各種情報を記憶するＲＡＭ（Ｒａｎｄｏｍ  Ａｃｃｅｓｓ  Ｍｅｍｏｒｙ）、フラッシュメモリ等の半導体メモリ素子、ハードディスク（Ｈａｒｄ  Ｄｉｓｋ  Ｄｒｉｖｅ）、ソリッドステートドライブ（Ｓｏｌｉｄ  Ｓｔａｔｅ  Ｄｒｉｖｅ）、光ディスク等により実現される。なお、メモリ３３は、ＲＯＭ（Ｒｅａｄ  Ｏｎｌｙ  Ｍｅｍｏｒｙ）などの非揮発性のメモリをさらに有していてもよい。また、メモリ３３は、ＣＤ（Ｃｏｍｐａｃｔ  Ｄｉｓｃ）−ＲＯＭドライブやＤＶＤドライブ、フラッシュメモリ等の可搬性記憶媒体との間で種々の情報を読み書きする駆動装置等で実現されてもよい。メモリ３３は、医用画像診断装置１０または画像保管装置２０から取得した医用画像データを記憶する。メモリ３３は、医用画像処理装置３０に搭載された処理回路３４における各種機能を実現するためのプログラムを記憶する。また、メモリ３３は、処理回路３４において実行される各種機能を実行するときに用いられる各種データを記憶する。メモリ３３は、記憶部の実現手段の一例である。
【００２０】
処理回路３４は、医用画像処理装置３０の中枢として機能する。処理回路３４は、ハードウェア資源として図示していないプロセッサ、ＲＯＭやＲＡＭ等のメモリ等を有する。処理回路３４は、取得機能３４ａと、変形機能３４ｂと、画像生成機能３４ｃと、不図示の制御機能とを有する。処理回路３４は、制御機能により医用画像処理装置３０における各種回路を制御する。例えば、処理回路３４は、制御機能により、取得機能３４ａと、変形機能３４ｂと、画像生成機能３４ｃとを実行することで、医用画像処理装置３０全体の動作を制御する。処理回路３４は、処理部の実現手段の一例である。
【００２１】
取得機能３４ａと、変形機能３４ｂと、画像生成機能３４ｃと、制御機能とは、コンピュータによって実行可能なプログラムの形態でメモリ３３に記憶される。処理回路３４は、これらの機能各々に対応するプログラムをメモリ３３から読み出し、実行することで各プログラムに対応する機能を実現するプロセッサである。換言すると、各プログラムを読みだした状態の処理回路３４は、図１の処理回路３４内に示された複数の機能各々を有することになる。ここで、取得機能３４ａを実現する処理回路３４は、取得部の実現手段の一例である。また、変形機能３４ｂを実現する処理回路３４は、変形部の実現手段の一例である。また、画像生成機能３４ｃを実現する処理回路３４は、画像生成部の実現手段の一例である。また、制御機能を実現する処理回路３４は、制御部の実現手段の一例である。
【００２２】
上記説明において用いた「プロセッサ」という文言は、例えば、ＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）、ＧＰＵ（Ｇｒａｐｈｉｃａｌ  Ｐｒｏｃｅｓｓｉｎｇ  Ｕｎｉｔ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、或いは、プログラマブル論理デバイス（例えば、単純プログラマブル論理デバイス（Ｓｉｍｐｌｅ  Ｐｒｏｇｒａｍｍａｂｌｅ  Ｌｏｇｉｃ  Ｄｅｖｉｃｅ：ＳＰＬＤ）、複合プログラマブル論理デバイス（Ｃｏｍｐｌｅｘ  Ｐｒｏｇｒａｍｍａｂｌｅ  Ｌｏｇｉｃ  Ｄｅｖｉｃｅ：ＣＰＬＤ）、及びフィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ））等の回路を意味する。
【００２３】
なお、本実施形態では、単一のプロセッサによって、取得機能３４ａと、変形機能３４ｂと、画像生成機能３４ｃと、制御機能とが実現される場合を説明するが、これに限定されない。例えば、複数の独立したプロセッサを組み合わせて制御回路を構成し、各プロセッサが動作プログラムを実行することにより、取得機能３４ａと、変形機能３４ｂと、画像生成機能３４ｃと、制御機能とが実現されても構わない。
【００２４】
処理回路３４において実行される取得機能３４ａと、変形機能３４ｂと、画像生成機能３４ｃとに関する処理は、後述の透視画像生成処理の手順において説明する。透視画像生成処理とは、ボリュームデータの取得に関する撮影の実行時における被検体Ｐの体位と被検体Ｐに対して設定された目的の体位との差分と、ボリュームデータとに基づいて、Ｘ線診断装置による投影画像に類する透視画像を生成する処理である。
【００２５】
以上が本実施形態における医用画像処理システム１００に関する全体構成についての説明である。以下、本実施形態における医用画像処理装置３０の処理回路３４において実行される取得機能３４ａと、変形機能３４ｂと、画像生成機能３４ｃとに関する処理内容について、透視画像生成処理の手順とともに説明する。なお、本実施形態の処理回路３４における各種機能は、例えばＸ線診断装置などの医用画像診断装置１０に搭載されてもよい。
【００２６】
（透視画像生成処理）  
図２は、透視画像生成処理の手順の一例を示すフローチャートである。  
（ステップＳａ１）  
処理回路３４は、取得機能３４ａにより、第１モダリティによる被検体Ｐの撮影時における被検体Ｐの体位（以下、第１体位と呼ぶ）を取得する。以下、説明を具体的にするために、ボリュームデータは、被検体Ｐに対する血管造影を伴ったＣＴスキャンにより生成されたデータであるものとする。具体的には、処理回路３４は、第１モダリティとしてのＸ線ＣＴ装置から被検体Ｐに関するボリュームデータを取得する。なお、処理回路３４は、画像保管装置２０からボリュームデータを取得してもよい。次いで、処理回路３４は、ボリュームデータに付帯されたスキャン条件から第１体位を取得する。処理回路３４は、既存の画像処理により、ボリュームデータから複数の解剖学的標識点（以下、第１ランドマークと呼ぶ）を取得する。第１ランドマークは、ボリュームデータに含まれる特徴的な局所構造を示す標認点に相当する。
【００２７】
なお、スキャン条件において被検体Ｐの体位が含まれていない場合、処理回路３４は、取得機能３４ａにより、スキャン条件から撮影対象部位を抽出する。次いで、処理回路３４は、撮影対象部位に対する体位の対応表（以下、体位対応表と呼ぶ）を用いて、撮影対象部位に対応する体位を、第１体位として決定する。これらの処理により、処理回路３４は、第１体位を取得する。体位対応表は、メモリ３３に予め記憶され、ステップＳａ１の処理において処理回路３４によりメモリ３３から読み出される。以下、説明を具体的にするために、第１体位は仰臥位かつ両上肢挙上であって、ボリュームデータは被検体Ｐの心臓を撮影対象部位として有するものとする。
【００２８】
（ステップＳａ２）  
入力インターフェース３１を介した操作者の指示により、被検体Ｐに対して目的の体位（以下、目的体位と呼ぶ）が入力される。これにより、被検体Ｐに対して目的体位が設定為れる。以下、説明を具体的にするために。目的体位は、仰臥位かつ両上肢下垂であるものとする。
【００２９】
（ステップＳａ３）  
処理回路３４は、変形機能３４ｂにより、目的体位と第１体位との差分に基づいて、ボリュームデータにおける複数の第１ランドマークを基準として、ボリュームデータを変形させた変形ボリュームを生成する。具体的には、処理回路３４は、まず、目的体位と第１体位との差分を決定する。上記体位の例では、差分は、両上肢挙上と両上肢下垂とによるボリュームデータにおける骨の位置の変化を示す変位に相当する。なお、差分は、ボリュームデータにおける臓器の位置および臓器の形の変化を示す変位を有していてもよい。次いで、処理回路３４は、ボリュームデータにおける複数の第１ランドマークを基準として、変位を用いてボリュームデータを変形させる。
【００３０】
上記体位の例では、処理回路３４は、両上肢挙上から両上肢下垂への体位の変化に応じた変位を用いて、変形ボリュームを生成する。このとき、変形ボリュームは、ボリュームデータにおける骨の位置を剛体変換として移動（変形）させたボリュームデータに相当する。なお、撮影対象部位が体位の差分に応じて変形する臓器（例えば、肝臓など）である場合、変形ボリュームは、ボリュームデータにおける骨の位置を剛体変換として移動（変形）させ、かつボリュームデータにおける臓器の形状および位置を非剛体変換として変形させたボリュームデータに相当する。  
【００３１】
例えば、メモリ３３は、目的体位と第１体位との組み合わせに対する変位の対応表（以下、変位対応表と呼ぶ）を記憶する。変位対応表は、複数の組み合わせを複数の変位に対応付けた対応表である。処理回路３４は、変形機能３４ｂにより、メモリ３３から変位対応表を読み出す。処理回路３４は、目的体位と第１体位との組み合わせを変位対応表と照合することにより、変位を決定する。次いで、処理回路３４は、決定された変位をボリュームデータに適用することにより、変形ボリュームを生成する。
【００３２】
なお、メモリ３３は、変位対応表の代わりに、上記剛体変換と上記非剛体変換とを有するワープフィールド（歪み場）と複数の組み合わせと撮影対象部位とを対応付けたフィールド対応表を記憶してもよい。このとき、処理回路３４は、変形機能３４ｂにより、目的体位と第１体位との組み合わせと撮影対象部位とをフィールド対応表と照合することにより、ワープフィールドを決定する。次いで、処理回路３４は、決定されたワープフィールドを、ボリュームデータに適用することにより、変形ボリュームを生成する。
【００３３】
（ステップＳａ４）  
処理回路３４は、画像生成機能３４ｃによるセグメンテーション処理（領域抽出処理）により、変形ボリュームから、第１ランドマークを含む骨領域と臓器領域とを抽出する。骨領域は、骨部に加えて軟骨を有していてもよい。臓器領域は、臓器に隣接する血管などの管腔を有していてもよい。臓器領域が血管である場合、臓器に隣接する血管は冠動脈に相当する。
【００３４】
具体的には、処理回路３４は、画像生成機能３４ｃにより、変形ボリュームにおけるボクセル値（例えば、ＣＴ値）に対して複数の閾値を用いたセグメンテーション処理を実行することで、変形ボリュームから骨領域と臓器領域とを抽出する。複数の閾値は、骨領域と臓器領域とを変形ボリュームから弁別するための閾値であって、予めメモリ３３に記憶される。なお、処理回路３４によるセグメンテーションの対象領域は、骨領域と臓器領域とに限定されず、例えば、血管の性状を示す石灰化領域とプラーク領域とのうち少なくとも一つの領域（以下、血管性状領域と呼ぶ）を、変形ボリュームから抽出してもよい。また、処理回路３４は、骨領域において、骨部の種類毎に領域を抽出してもよい。これらの場合、メモリ３３は、血管の性状の種類と骨部の種類とに応じて、セグメンテーション処理に用いられる複数の閾値を記憶する。
【００３５】
（ステップＳａ５）  
処理回路３４は、画像生成機能３４ｃにより、抽出された骨領域の透過度を、透視撮影に対応する透過度（以下、透視透過度と呼ぶ）に変更する。石灰化領域とプラーク領域とのうち少なくとも一つの領域が血管性状領域として抽出された場合、処理回路３４は、血管性状領域の透過度を、透視透過度に変更する。なお、処理回路３４は、透視透過度の代わりに、透視撮影に対応する不透明度を用いてもよい。透視透過度とは、例えば、Ｘ線診断装置（第２モダリティ）により被検体Ｐに対して透視撮影が実行された場合において生成された画像（投影画像）における骨領域の透明度に相当する。具体的には、メモリ３３は、透視透過度を記憶する。処理回路３４は、透視透過度をメモリ３３から読み出し、骨領域の透過度を、読み出された透視透過度に変更する。
【００３６】
なお、メモリ３３は、軟骨を含む骨部の種類に対する透視透過度の対応表（以下、透過度対応表と呼ぶ）を記憶してもよい。図３は、透過度対応表の一例を示す図である。図３に示すように、透過度対応表は、骨部の種類に対応する透視透過度を、リストとして有する。図３に示す透視透過度は、骨部の種類に応じた骨の厚みに対応する。すなわち、骨の厚みが厚いほどＸ線の減弱の割合は大きくなるため、透視透過度は、骨が厚いほど低下する。このとき、処理回路３４は、画像生成機能３４ｃにより、透過度対応表を用いて、骨領域における骨部の種類および軟骨の種類に応じて、骨領域における複数の部分領域各々の透過度を透視透過度に変更する。なお、軟骨の透視透過度には、種類によらず一つの透視透過度が割り当てられてもよい。
【００３７】
また、メモリ３３は、血管性状領域に対する透視透過度の対応表（以下、血管性状対応表と呼ぶ）を記憶してもよい。このとき、処理回路３４は、血管性状対応表を用いて、石灰化領域およびプラーク領域の透過度を透視透過度に変更する。
【００３８】
なお、処理回路３４は、画像生成機能３４ｃにより、血管性状領域の透過度を変更する代わりに、抽出された領域の表示態様を、石灰化およびプラーク各々に対応する表示態様に変更してもよい。表示態様とは、例えば、色相、ハッチングなどであって、臓器領域と骨領域と石灰化領域とプラーク領域とがそれぞれ識別可能であれば、どのような表示態様であってもよい。表示態様が色相である場合、メモリ３３は、石灰化領域およびプラーク領域に対する色相の対応表（以下、色相対応表と呼ぶ）を記憶してもよい。このとき、処理回路３４は、石灰化領域およびプラーク領域に、色相対応表における色相を割り当てる。
【００３９】
（ステップＳａ６）  
処理回路３４は、画像生成機能３４ｃにより、変更された透過度を有する骨領域に対して最大値投影処理（以下、ＭＩＰ（Ｍａｘｉｍｕｍ  Ｉｎｔｅｎｓｉｔｙ  Ｐｒｏｊｅｃｔｉｏｎ）処理と呼ぶ）を実行することにより、骨投影画像（以下、骨ＭＩＰ画像と呼ぶ）を生成する。ＭＩＰ処理に用いられる視点と視線方向とは、例えば、Ｘ線撮影のＸ線の焦点と撮影方向とにそれぞれ対応し、撮影対象部位に応じてあらかじめ設定されて、メモリ３３に記憶される。
【００４０】
図４は、透過度の変更前の骨ＭＩＰ画像の一例を示す図である。図５は、透過度の変更後の骨ＭＩＰ画像ＢＭＩＰの一例を示す図である。図４および図５に示すように、透過度の変更により、本ステップにおいて生成された骨ＭＩＰ画像ＢＭＩＰにおける骨領域ＢＲの透過度は大きくなる。
【００４１】
処理回路３４は、画像生成機能３４ｃにより、臓器領域に対してＭＩＰ処理を実行することにより、臓器投影画像（以下、臓器ＭＩＰ画像と呼ぶ）を生成する。図６は、撮影対象部位が心臓である場合の臓器ＭＩＰ画像ＴＭＩＰの一例を示す図である。なお、処理回路３４は、透過度が変更された石灰化領域およびプラーク領域に対してＭＩＰ処理を実行することにより、石灰化領域およびプラーク領域に関する投影画像（以下、血管性状投影画像と呼ぶ）を生成してもよい。
【００４２】
（ステップＳａ７）  
処理回路３４は、画像生成機能３４ｃにより、骨ＭＩＰ画像を臓器ＭＩＰ画像に重畳することにより、重畳画像を生成する。なお、処理回路３４は、重畳画像の生成前に、骨ＭＩＰ画像と臓器ＭＩＰ画像との位置合わせ（レジストレーション：ｒｅｇｉｓｔｒａｔｉｏｎ）を実行してもよい。このとき、処理回路３４は、位置合わせが実行された骨ＭＩＰ画像と臓器ＭＩＰ画像とを用いて、重畳画像を生成する。なお、処理回路３４は、骨ＭＩＰ画像と血管性状投影画像とを臓器ＭＩＰ画像に重畳することにより、重畳画像を生成してもよい。
【００４３】
（ステップＳａ８）  
処理回路３４は、画像生成機能３４ｃにより、Ｘ線診断装置において投影画像の生成時に実行される画像処理（以下、後処理と呼ぶ）を重畳画像に対して実行することにより、透視画像を生成する。また、処理回路３４は、後処理に加えて、階調反転の処理などの各種処理を実行する。後処理は、例えば、リカーシブフィルタなどのノイズ低減フィルタの適用、アーチファクト除去処理、オフセット補正、ゲイン補正、空間フィルタの適用、ダイナミックレンジ圧縮処理などである。なお、後処理は、第２モダリティにおける画像の生成時に実行される画像処理であれば、上記後処理の内容に限定されず、いずれのものであってもよい。ステップＳａ４乃至Ｓａ８の処理により、処理回路３４は、画像生成機能３４ｃにより変形ボリュームに基づいて透視画像を生成する。
【００４４】
（ステップＳａ９）  
処理回路３４は、制御機能により、透視画像をディスプレイ３２に表示する。処理回路３４は、生成された透視画像を、画像保管装置２０などの各種外部の装置に出力する。図７は、透視画像ＦＬＩの一例を示す図である。図７に示すように、透視画像ＦＬＩは、被検体Ｐに造影剤を投与してＸ線診断装置による透視投影により得られた投影画像（以下、アンギオ画像と呼ぶ）に、アンギオグラフィックビューより類似した画像となる。図８は、骨ＭＩＰ画像と血管性状投影画像とを臓器ＭＩＰ画像に重畳した透視画像の一例を示す図である。図８に示すように、透視画像ＦＬＩにおいて、心臓に隣接する冠動脈には石灰化領域ＣＡＬＭＥとプラーク領域ＰＬＲＥとが、血管とは異なる透過度で、異なるハッチングとして示されている。
【００４５】
以上に述べた構成および動作によれば、以下の効果を得ることができる。  
本実施形態における医用画像処理装置３０によれば、第１モダリティによる被検体Ｐの撮影時における被検体Ｐの第１体位を取得し、被検体Ｐに対して設定された目的の体位と第１体位との差分に基づいて、第１モダリティによる被検体Ｐの撮影により得られたボリュームデータにおける複数の第１ランドマークを基準として、ボリュームデータを変形させた変形ボリュームを生成し、変形ボリュームに基づいて透視画像を生成することができる。これにより、本医用画像処理装置３０によれば、ボリュームデータの収集時における被検体Ｐの体位によらず、アンギオ画像に準拠した解剖学的ランドマークを有し、アンギオ画像に酷似した透視画像を生成することができる。
【００４６】
また、本医用画像処理装置３０によれば、Ｘ線診断装置などの第２モダリティによる投影画像の生成時に実施された画像処理を実行することにより透視画像を生成することができる。また、本医用画像処理装置３０によれば、変形ボリュームから、第1ランドマークを含む骨領域と血管を含む臓器領域とを抽出し、骨領域の透過度を透視撮影に対応する透過度に変更し、変更された透過度を有する骨領域と臓器領域とに対して最大値投影処理をそれぞれ実行することにより、骨投影画像と臓器投影画像とを生成し、臓器投影画像に骨投影画像を重畳することにより、透視画像を生成することができる。また、本医用画像処理装置３０によれば、骨領域における骨部の種類に応じて骨領域における複数の部分領域各々の透過度を変更して、透視画像を生成することができる。これらにより、本医用画像処理装置３０によれば、アンギオ画像にさらに酷似した透視画像を生成することができる。
【００４７】
以上のことから、本医用画像処理装置３０によれば、血管造影に関する技師および医師にとって直感的に把握しやすい透視画像を、ボリュームデータに基づいて生成することができる。これにより、透視画像生成処理により生成された透視画像とＸ線診断装置による透視撮影により得られた投影画像との位置合わせが容易になり、診断効率を向上させることができる。
【００４８】
また、本医用画像処理装置３０によれば、変形ボリュームデータから、プラーク領域と石灰化領域とのうち少なくともひとつの領域を抽出し、抽出された血管性状領域が重畳された透視画像を生成することができる。これにより、ボリュームデータに特有であってアンギオ画像より多くの情報を付与した透視画像を生成することができ、診断効率を向上させることができる。
【００４９】
（変形例）  
本変形例と第１の実施形態との相違は、図２のステップＳａ３乃至ステップＳａ７において、透視画像生成処理の内容および手順が異なることにある。図９は、本変形例における透視画像生成処理の手順の一例を示す図である。ステップＳａ２の処理の後、以下のステップＳｂ１の処理が実行される。
【００５０】
（ステップＳｂ１）  
ステップＳａ２の後、処理回路３４は、画像生成機能３４ｃによるセグメンテーション処理により、ボリュームデータから骨領域と臓器領域とを抽出する。なお、処理回路３４は、石灰化領域とプラーク領域とのうち少なくとも一つの領域を、ボリュームデータから抽出してもよい。セグメンテーション処理の内容は、ステップＳａ４に記載の処理内容と概ね同様なため、詳細な説明は省略する。
【００５１】
（ステップＳｂ２）  
処理回路３４は、画像生成機能３４ｃにより、例えば透過度対応表を用いて、抽出された骨領域の透過度を、透視透過度に変更する。なお、処理回路３４は、血管性状対応表を用いて、石灰化領域およびプラーク領域の透過度を透視透過度に変更してもよい。本ステップの処理内容は、ステップＳａ５に記載の処理内容と概ね同様なため、詳細な説明は省略する。
【００５２】
（ステップＳｂ３）  
処理回路３４は、画像生成機能３４ｃにより、変更された透過度を有する骨領域に対してＭＩＰ処理を実行することにより、第１ＭＩＰ画像を生成する。処理回路３４は、臓器領域に対してＭＩＰ処理を実行することにより、第２ＭＩＰ画像を生成する。なお、処理回路３４は、透過度が変更された石灰化領域およびプラーク領域に対してＭＩＰ処理を実行することにより、石灰化領域およびプラーク領域に関する第３ＭＩＰ画像を生成してもよい。本ステップの処理内容は、ステップＳａ６に記載の処理内容と概ね同様なため、詳細な説明は省略する。
【００５３】
（ステップＳｂ４）  
処理回路３４は、変形機能３４ｂにより、目的体位と第１体位との差分に基づいて、第１ＭＩＰ画像を移動させる移動量を決定する。具体的には、処理回路３４は、目的体位と第１体位との組み合わせを変位対応表と照合することにより変位を決定する。次いで、処理回路３４は、決定された変位を、第２ＭＩＰ画像に対して第１ＭＩＰ画像を移動させる移動量として決定する。決定された移動量は、例えば、第１ＭＩＰ画像に対する剛体変換を示す変換量に相当する。
【００５４】
なお、撮影対象部位が体位の差分に応じて変形する臓器である場合、処理回路３４は、変形機能３４ｂにより、決定された変位を用いて、第２ＭＩＰ画像を変形させる変形量を決定してもよい。決定された変形量は、例えば、第２ＭＩＰ画像に対する非剛体変換を示す変換量に相当する。また、処理回路３４は、目的体位と第１体位との差分に基づいて、第３ＭＩＰ画像を移動させる移動量を決定してもよい。なお、処理回路３４は、目的体位と第１体位との組み合わせと撮影対象部位とをフィールド対応表と照合することにより、第１乃至第３ＭＩＰ画像にそれぞれ対応するワープフィールドを決定してもよい。このとき、第１ＭＩＰ画像および第３ＭＩＰ画像に対応するワープフィールドは、剛体変換を示すマップに相当する。
【００５５】
（ステップＳｂ５）  
処理回路３４は、画像生成機能３４ｃにより、決定された移動量に従って第１ＭＩＰ画像を移動し、移動された第１ＭＩＰ画像（以下、移動後第１ＭＩＰ画像と呼ぶ）を第２ＭＩＰ画像に重畳することにより、重畳画像を生成する。なお、処理回路３４は、決定された変換量に従って第２ＭＩＰ画像に対して非剛体変換を実行し、非剛体変換が実行された第２ＭＩＰ画像（以下、変換後第２ＭＩＰ画像と呼ぶ）に移動後第１ＭＩＰ画像を重畳することにより、重畳画像を生成してもよい。
【００５６】
また、処理回路３４は、決定された移動量に従って第３ＭＩＰ画像を移動し、移動された第３ＭＩＰ画像（以下、移動後第３ＭＩＰ画像と呼ぶ）と移動後第１ＭＩＰ画像とを第２ＭＩＰ画像に重畳することにより、重畳画像を生成してもよい。また、処理回路３４は、移動後第１ＭＩＰ画像と移動後第３ＭＩＰ画像とを変換後第２ＭＩＰ画像に重畳することにより、重畳画像を生成してもよい。
【００５７】
ステップＳｂ５の処理後、ステップＳａ８以降の処理が実行され、透視画像が生成される。生成された透視画像は、第１の実施形態と同様なものとなる。このため、本変形例における効果は第１の実施形態における効果と同様なため、本変形例における効果の説明は省略する。
【００５８】
（第１の応用例）  
本応用例は、被検体Ｐの血管内に挿入されるデバイスを示すモデル（以下、デバイスモデルと呼ぶ）を透視画像に重畳させる指示（以下、デバイス表示指示と呼ぶ）に応答して、デバイスモデルを重畳させた透視画像を生成することにある。以下、説明を具体的にするために、デバイスモデルは、造影剤を吐出するためのカテーテルのモデル（以下、カテーテルモデルと呼ぶ）であるものとして説明する。なお、デバイスモデルは、カテーテルモデルに限定されず、例えば、血流予備量比（Ｆｒａｃｔｉｏｎａｌ  Ｆｌｏｗ  Ｒｅｓｅｒｖｅ：以下、ＦＦＲと呼ぶ）を計測するためのプレッシャワイヤのモデル（以下、ワイヤモデルと呼ぶ）、ステントのモデル、バルーンカテーテルのモデル、ＩＶＵＳ（Ｉｎｔｅｒｖａｓｃｕｌａｒ  Ｕｌｔｒａｓｏｕｎｄ：血管内超音波）カテーテルのモデルなど、被検体Ｐ内に挿入可能な手術デバイスのモデルであれば、いずれのものであってもよい。これらのデバイスモデルは、例えば３次元的なデータとして、メモリ３３に記憶される。
【００５９】
入力インターフェース３１は、デバイス表示指示を、操作者による操作に従って入力する。入力インターフェース３１は、デバイス表示指示に関する信号を、処理回路３４に出力する。デバイス表示指示の入力は、例えば、デバイスの種類に応じてデバイスモデルを示したボタンの押下などである。
【００６０】
処理回路３４は、デバイス表示指示に応答して、画像生成機能３４ｃにおけるセグメンテーション処理により、臓器領域における大動脈と冠動脈との境界位置と境界位置から上流の大動脈とを特定する。処理回路３４は、カテーテルモデルをメモリ３３から読み出す。処理回路３４は、大動脈から境界位置を通過して、境界位置から所定の長さ（例えば、１〜２ｃｍ）だけ冠動脈に挿入した位置まで、読み出されたカテーテルモデルをボリュームデータに配置する。処理回路３４は、カテーテルモデルが配置されたボリュームデータを用いて透視画像生成処理を実行することで、カテーテルモデルが重畳された透視画像を生成する。
【００６１】
図１０は、本応用例で生成された透視画像ＦＬＩの一例を示す図である。図１０に示すように、カテーテルモデルＶｃａｔｈは、図７に示す透視画像に重畳された状態で、ディスプレイ３２に表示される。  
【００６２】
なお、本応用例における透視画像の生成に関する処理は、上記に限定されず、以下のような処理の手順により生成されてもよい。ステップＳａ８の処理またはステップＳａ９の処理の後、デバイス表示指示に応答して、処理回路３４は、変形機能３４ｂにより、境界位置と大動脈の形状と冠動脈の形状とに応じて、デバイスモデルを変形する。処理回路３４は、画像生成機能３４ｃにより、変形されたデバイスモデルに対してＭＩＰ処理を実行し、デバイスモデルのＭＩＰ画像（以下、デバイスＭＩＰ画像と呼ぶ）を生成する。処理回路３４は、デバイスＭＩＰ画像に対して後処理を実行し、後処理が実行されたデバイスＭＩＰ画像を、第１の実施形態または変形例により生成された透視画像に重畳させる。これにより、図１０に示す透視画像と同様な透視画像を生成することができる。
【００６３】
以上に述べた構成および動作によれば、第１の実施形態における効果に加えて、以下の効果を得ることができる。  
本応用例における医用画像処理装置３０によれば、被検体Ｐの血管内に挿入されるデバイスを示すモデルを透視画像に重畳させる指示に応答して、モデルを重畳させた透視画像を生成することができる。これにより、本医用画像処理装置３０によれば、デバイスを被検体Ｐに挿入した場合における模擬的な透視画像を生成することができ、操作者は透視撮影の実行前に透視画像におけるデバイスの位置を解剖学的な位置関係に従って直感的に把握することができる。
【００６４】
（第２の応用例）  
本応用例は、血管へのデバイスの挿入による血管の蛇行の変化に応じて、透視画像における血管の領域を変形させることにある。以下、説明を具体的にするために、透視画像に表示されるデバイスモデルは、ワイヤモデルであるものとして説明する。本応用例における処理は、例えば、ステップＳａ９の後に実行される。
【００６５】
入力インターフェース３１は、デバイス表示指示に続いて、操作者の指示により、血管に配置されるワイヤモデルの先端部分の位置（以下、先端位置と呼ぶ）を、透視画像に対して入力する。入力インターフェース３１は、透視画像における先端位置の情報を、処理回路３４に出力する。
【００６６】
処理回路３４は、画像生成機能３４ｃにおけるセグメンテーション処理により、臓器領域から大動脈と冠動脈とを抽出する。処理回路３４は、大動脈および冠動脈の領域と先端位置とに基づいて、臓器領域においてワイヤモデルが配置される血管の経路（以下、配置経路と呼ぶ）を特定する。処理回路３４は、配置経路における血管の構造情報を、既存の手法により取得する。血管の構造情報とは、例えば、配置経路に沿った血管の太さ、血管の長さ、血管壁の厚さ、血管の曲率、血管の捩率、血管の性状、血管の硬さなどである。処理回路３４は、既存の手法により、血管の構造情報を用いて、配置経路に対応する血管の蛇行の変化を決定する。なお、処理回路３４は、プレッシャワイヤなどのデバイスの構造情報をさらに用いて、血管の蛇行の変化を決定してもよい。プレッシャワイヤの構造情報とは、例えば、プレッシャワイヤの太さ、プレッシャワイヤの長さ、プレッシャワイヤの硬さ、プレッシャワイヤの応力、プレッシャワイヤの可動範囲などである。このとき、プレッシャワイヤの構造情報は、予めメモリ３３に記憶される。
【００６７】
処理回路３４は、変形機能３４ｂにより、決定された蛇行の変化に応じて、透視画像における血管の領域を変形させる。図１１は、デバイスを血管に模擬的に挿入した場合の血管の蛇行の変化の一例を示す図である。図１１に示すように、ワイヤモデルＷＭが配置経路ＰＲに配置される前の状態ＢＡＰにおいて、配置経路ＰＲは蛇行している。ワイヤモデルＷＭが配置経路ＰＲに配置された状態ＡＡＰにおいて、配置経路ＰＲの蛇行は、アコーディオン現象により、低減する。
【００６８】
以上に述べた構成および動作によれば、第１の実施形態における効果に加えて、以下の効果を得ることができる。  
本応用例における医用画像処理装置３０によれば、血管にデバイスのモデルが配置された場合における血管の蛇行の変化に応じて、透視画像における血管の領域を変形させることができる。これにより、本医用画像処理装置３０によれば、デバイスを被検体Ｐに挿入した場合における血管の変形を伴った模擬的な透視画像を生成することができ、操作者は透視撮影の実行前に血管の変形を直感的に把握することができる。
【００６９】
（第２の実施形態）  
本実施形態と第１の実施形態との相違は、Ｘ線診断装置により得られた投影画像を用いて透視画像を生成することにある。
【００７０】
図１２は、本実施形態におけるＸ線診断装置１０の構成の一例を示す図である。図１２に示すように、Ｘ線診断装置１０は、高電圧発生器１１と、Ｘ線管１３と、Ｘ線絞り装置１５と、Ｘ線検出器１７と、支持フレーム１９と、天板２１を有する不図示の寝台と、入力インターフェース３１と、ディスプレイ３２と、メモリ３３と、処理回路３４とを有する。
【００７１】
高電圧発生器１１は、Ｘ線管１３に供給する管電流と、Ｘ線管１３に印加する管電圧（高電圧）とを発生する。高電圧発生器１１は、処理回路３４におけるシステム制御機能３４１による制御のもとで、Ｘ線撮影条件に従って、Ｘ線撮影およびＸ線透視にそれぞれ適した管電流をＸ線管１３に供給する。高電圧発生器１１は、システム制御機能３４１による制御のもとで、Ｘ線撮影条件に従って、Ｘ線撮影およびＸ線透視各々にそれぞれ適した管電圧をＸ線管１３に印加する。なお、高電圧発生器１１による管電圧の印加は、時間的に連続してＸ線管１３に管電圧を印加する方式でもよいし、高電圧のスイッチングによりパルス状の高電圧をＸ線管１３に印加する方式（以下、高電圧パルス印加方式と呼ぶ）であってもよい。以下、高電圧発生器１１は、高電圧パルス印加方式を用いて、Ｘ線透視を行うものとして説明する。
【００７２】
Ｘ線管１３は、高電圧発生器１１から供給された管電流と、高電圧発生器１１により印加された管電圧とに基づいて、Ｘ線の焦点（以下、管球焦点と呼ぶ）から、Ｘ線を発生する。管球焦点から発生されたＸ線は、Ｘ線絞り装置１５により不要な領域のＸ線が遮蔽された状態で、被検体Ｐに照射される。Ｘ線の最大照射範囲１３１は、点線で示されている。本実施形態におけるＸ線管１３は、回転陽極型のＸ線管であるとして説明する。なお、本実施形態におけるＸ線管１３は、固定陽極型Ｘ線管などの他の型のＸ線管でもよい。Ｘ線管１３は、高電圧のスイッチングによるパルス状の高電圧の印加に伴って、所定の時間間隔で離散したパルスＸ線を発生する。Ｘ線管１３のＸ線放射窓には、管球焦点以外で発生した焦点外Ｘ線を遮断する鉛コーン（ｌｅａｄ  ｃｏｎｅ）が取り付けられる。
【００７３】
Ｘ線絞り装置１５は、Ｘ線管１３のＸ線放射窓に隣接して、Ｘ線管１３の前面に設けられる。Ｘ線絞り装置１５は、管球焦点で発生したＸ線の照射範囲を限定する。なお、Ｘ線絞り装置１５は、Ｘ線フィルタの他に各種フィルタ（線質調整フィルタ、付加フィルタ、線量低減フィルタなど）を有していてもよい。
【００７４】
Ｘ線検出器１７は、Ｘ線管１３に対向し、Ｘ線管１３から発生されたＸ線を検出する。Ｘ線検出器１７は、例えば、フラットパネルディテクタ（Ｆｌａｔ  Ｐａｎｅｌ  Ｄｅｔｅｃｔｏｒ：以下、ＦＰＤと呼ぶ）により構成される。ＦＰＤは、複数の半導体検出素子を有する。なお、Ｘ線検出器１７として、イメージインテンシファイア（Ｉｍａｇｅｉｎｔｅｎｓｉｆｉｅｒ）が用いられてもよい。Ｘ線の入射に伴って複数の半導体検出素子で発生された電気信号は、図示していないアナログディジタル変換器（Ａｎａｌｏｇ  ｔｏ  Ｄｉｇｉｔａｌ  ｃｏｎｖｅｒｔｅｒ：以下、Ａ／Ｄ変換器と呼ぶ）に出力される。Ａ／Ｄ変換器は、電気信号をディジタルデータに変換する。Ａ／Ｄ変換器は、ディジタルデータを、処理回路３４に出力する。
【００７５】
支持フレーム１９は、Ｘ線管１３とＸ線検出器１７とを移動可能に支持する。具体的には、支持フレーム１９は、Ｃアームである。Ｃアームは、Ｘ線管１３とＸ線検出器１７とを、互いに向き合うように搭載する。図示していない支柱は、ＣアームのＣ形状に沿う方向（以下、第１方向と呼ぶ）に、ガイドレールおよび直動軸受等を介して、Ｃアームをスライド可能に支持する。支柱は、検査室の床面に設けられる。支柱は、ベアリング等を介して、第１方向に直交する方向（以下、第２方向と呼ぶ）に回転可能にＣアームを支持する。なお、支柱は、ベアリング等を介して、天板２１の短軸方向（のＸ軸）と長軸方向（Ｙ軸）とに平行移動可能に、Ｃアームを支持することも可能である。また、Ｃアームは、Ｘ線管１３における管球焦点１３５とＸ線検出器１７の中心との距離（線源受像面間距離（Ｓｏｕｒｃｅ  Ｉｍａｇｅ  Ｄｉｓｔａｎｃｅ：以下、ＳＩＤと呼ぶ））を変更可能に、例えばガイドレールおよび直動軸受等を介して、Ｘ線管１３とＸ線検出器１７とを支持する。
【００７６】
なお、支持フレーム１９として、Ｃアームの代わりに、Ωアームが用いられてもよいし、例えばＸ線管１３およびＸ線検出器１７をそれぞれ独立に支持する２つのアーム（例えばロボットアームなど）が用いられてもよい。また、支持フレーム１９は、ＣアームとΩアームとによるバイプレーン構造などを有していてもよい。
【００７７】
図示していない寝台は、被検体Ｐが載置される天板２１（臥位テーブルとも言う）を移動可能に支持する。天板２１には、被検体Ｐが載置される。
【００７８】
図示していない駆動装置は、例えば、支持フレーム１９と寝台とを駆動する。駆動装置は、例えば、モータと、モータで発生した力を駆動対象の各種ユニットに伝達する伝達機構（例えば、チェーンドライブ、ベルトドライブ、ボールねじなど）とを有する。駆動装置は、処理回路３４から出力された制御信号に応じた駆動信号に従って、支持フレーム１９を第１方向にスライド、第２方向に回転させる。なお、駆動装置は、システム制御機能３４１による制御のもとで、ＳＩＤを回転軸として、Ｘ線検出器１７を回転させてもよい。
【００７９】
駆動装置は、システム制御機能３４１による制御のもとで、天板２１を駆動することにより、天板２１を移動させる。これにより、Ｘ線透視時およびＸ線撮影時においては、Ｘ線管１３とＸ線検出器１７との間に、天板２１に載置された被検体Ｐが配置される。具体的には、駆動装置は、処理回路３４から出力された制御信号に基づいて、天板２１の短軸方向（Ｘ軸方向）、および天板２１の長軸方向（Ｙ軸方向）に、ベアリング、ガイドレール、直動軸受等を介して天板２１をスライドさせる。また、駆動装置は、鉛直方向（Ｚ軸方向）に関して、ベアリング、ガイドレール、直動軸受等を介して天板２１を昇降する。加えて、駆動装置は、長軸方向と短軸方向とのうち少なくとも一つの方向を回転軸として天板２１を傾けるために、ベアリング、ガイドレール、直動軸受等を介して、天板２１を回転してもよい。
【００８０】
入力インターフェース３１は、Ｘ線撮影条件、透視・撮影位置、Ｘ線の照射範囲（撮像視野）、Ｘ線画像における関心領域の位置および大きさなどを、操作者の指示により入力する。
【００８１】
処理回路３４は、本Ｘ線診断装置１０における各種回路、駆動装置等を制御するための各種プログラムをメモリ３３から読み出して、読み出したプログラムを実行することで、各種機能を実現する。処理回路３４は、入力インターフェース３１から送られてくる操作者の指示、撮影条件・透視条件などのＸ線撮影条件などの情報を、図示していなメモリに一時的に記憶する。処理回路３４は、システム制御機能３４１により、メモリに記憶された操作者の指示、透視・撮影位置、Ｘ線撮影条件などに従って、Ｘ線撮影・Ｘ線透視（パルスＸ線撮影）を実行するために、高電圧発生器１１、Ｘ線絞り装置１５、駆動装置などを制御する。
【００８２】
処理回路３４は、画像生成機能３４ｃにより、Ｘ線検出器１７からの出力に基づいて投影画像を生成する。処理回路３４は、投影画像にＸ線撮影条件を付帯させる。処理回路３４は、発生した投影画像を、例えば、ディスプレイ３２およびメモリ３３等に出力する。また、処理回路３４は、投影画像を、ネットワークを介して、画像保管装置２０および医用画像処理装置３０などの他の装置に転送する。
【００８３】
以上が本実施形態におけるＸ線診断装置１０の全体構成についての説明である。以下、本実施形態における処理回路３４において実行される取得機能３４ａと、変形機能３４ｂと、画像生成機能３４ｃとに関する処理内容について、透視画像生成処理の手順とともに説明する。
【００８４】
（透視画像生成処理）  
図１３は、透視画像生成処理の手順の一例を示すフローチャートである。  
（ステップＳｃ１）  
処理回路３４は、システム制御機能３４１により、被検体Ｐに対して透視撮影を実行する。処理回路３４は、画像生成機能３４ｃにより、透視撮影によりＸ線検出器１７から出されたデータに対して後処理を実行し、投影画像を生成する。このとき、投影画像には、Ｘ線撮影条件が付帯される。
【００８５】
（ステップＳｃ２）  
処理回路３４は、取得機能３４ａにより、被検体Ｐの患者情報を用いて、被検体Ｐのボリュームデータを画像保管装置２０などから取得する。処理回路３４は、取得されたボリュームデータに付帯されたスキャン条件に基づいて第１体位を取得する。
【００８６】
（ステップＳｃ３）  
処理回路３４は、取得機能３４ａにより、Ｘ線撮影条件から、投影画像における被検体の体位（以下、第２体位と呼ぶ）を取得する。なお、Ｘ線撮影条件において被検体Ｐの体位が含まれていない場合、処理回路３４は、Ｘ線撮影条件から撮影対象部位を抽出する。次いで、処理回路３４は、体位対応表を用いて、撮影対象部位に対応する体位を、第２体位として決定する。これらの処理により、処理回路３４は、第２体位を取得する。以下、説明を具体的にするために、第２体位は仰臥位かつ両上肢下垂であって、投影画像は被検体Ｐの心臓を撮影対象部位として有するものとする。
【００８７】
処理回路３４は、取得機能３４ａにより、既存の画像処理を用いて、ボリュームデータから複数の第１ランドマークを取得する。処理回路３４は、既存の画像処理により、投影画像から複数の解剖学的標識点（以下、第２ランドマークと呼ぶ）を取得する。第２ランドマークは、投影画像に含まれる特徴的な局所構造を示す標認点に相当する。
【００８８】
（ステップＳｃ４）  
処理回路３４は、変形機能３４ｂにより、第１ランドマークと第２ランドマークとの位置比較を実行し、ランドマーク間の差分を算出する。ランドマーク間の差分は、ボリュームデータと投影画像とにおいて、両上肢挙上と両上肢下垂とによる骨の位置の変化を示す変位に相当する。なお、ランドマーク間の差分は、ボリュームデータにおける臓器の位置および臓器の形の変化を示す変位を有していてもよい。
【００８９】
（ステップＳｃ５）  
処理回路３４は、変形機能３４ｂにより、ランドマーク間の差分に基づいて、第１ランドマークを基準として、ボリュームデータを変形させた変形ボリュームを生成する。上記体位の例では、処理回路３４は、両上肢挙上から両上肢下垂への体位の変化に応じた変位を用いて、ボリュームデータから変形ボリュームを生成する。
【００９０】
（ステップＳｃ６）  
処理回路３４は、画像生成機能３４ｃによるセグメンテーション処理により、変形ボリュームから、第１ランドマークを含む骨領域と臓器領域とを抽出する。本ステップにおける処理内容はステップＳａ４と同様なため、説明は省略する。
【００９１】
（ステップＳｃ７）  
処理回路３４は、取得機能３４ａにより、投影画像における骨領域の画素値を用いて、投影画像における骨領域の透過度を取得する。具体的には、処理回路３４は、投影画像に対するセグメンテーション処理により、投影画像から骨領域を抽出する。次いで、処理回路３４は、骨領域に含まれる複数の画素値の代表値を透過度に変換する透過度変換処理を実行することにより、骨領域における透過度を決定する。代表値は、例えば、骨領域に含まれる複数の画素値の平均値、最頻値などである。透過度変換処理は、代表値に対する透過度の対応表、または代表値を透過度に変換する変換式を用いた処理である。これにより、処理回路３４は、透視撮影に対応する透過度を決定する。最後に、処理回路３４は、画像生成機能３４ｃにより、変形ボリュームから抽出された骨領域の透過度を、透視撮影に対応する透過度に変更する。
【００９２】
本ステップによる処理の後、処理回路３４は、ステップＳａ６乃至ステップＳａ８の処理を実行することにより、透視画像を生成する。なお、処理回路３４は、画像生成機能３４ｃにより、第１ランドマークを有する骨領域（第１領域）の大きさが第２ランドマークを有する骨領域（第２領域）の大きさに一致するように透視画像を生成してもよい。このとき、投影画像における撮像視野（以下、ＦＯＶ（Ｆｉｅｌｄ  Ｏｆ  Ｖｉｅｗ）と呼ぶ）と透視画像におけるＦＯＶとは、同じ大きさとなる。例えば、処理回路３４は、ステップＳａ６の処理において、投影画像におけるＦＯＶと同じ大きさになるようにＭＩＰ処理を実行する。なお、処理回路３４は、投影画像におけるＦＯＶより大きなＦＯＶとなるようにＭＩＰ処理を実行し、ステップＳａ８で生成された透視画像のＦＯＶが投影画像におけるＦＯＶに一致するように、透視画像をトリミングしてもよい。また、本実施形態における透視画像の生成において、第１の実施形態の変形例に記載の手法が用いられてもよい。
【００９３】
処理回路３４は、透視画像とともに投影画像をディスプレイ３２に表示する。図１４は、投影画像ＰＩと透視画像生成処理において生成された透視画像ＦＬＩとを並列表示した一例を示す図である。このとき、操作者は、投影画像ＰＩにおけるランドマークと透視画像ＦＬＩにおけるランドマークとの解剖学的な位置関係に基づいて、両者の画像を容易に比較することができる。なお、処理回路３４は、画像生成機能３４ｃにより、投影画像ＰＩにおけるランドマークと透視画像ＦＬＩにおけるランドマークとを用いて、投影画像ＰＩに透視画像ＦＬＩを重畳させてディスプレイ３２に表示してもよいし、透視画像ＦＬＩに投影画像ＰＩを重畳させてディスプレイ３２に表示してもよい。
【００９４】
以上に述べた構成および動作によれば、第１の実施形態の効果に加えて、以下の効果を得ることができる。  
本実施形態におけるＸ線診断装置１０によれば、第２モダリティによる被検体の撮影時における被検体の第２体位を取得し、第２モダリティによる被検体の撮影により生成された投影画像における複数の第２ランドマークと第１ランドマークとの位置比較により、ランドマーク間の差分を算出し、ランドマーク間の差分に基づいて変形ボリュームを生成することにより、透視画像を生成することができる。これにより、本医用画像処理装置３０によれば、ボリュームデータの収集時における被検体Ｐの体位によらず、投影画像（アンギオ画像）により類似した透視画像を生成することができる。
【００９５】
また、本Ｘ線診断装置１０によれば、第１ランドマークを有する第1領域の大きさが第２ランドマークを有する第２領域の大きさに一致するように、透視画像を生成することができる。また、本Ｘ線診断装置１０によれば、透視画像に投影画像を重畳させて表示することができる。これらにより、本医用画像処理装置３０によれば、投影画像におけるＦＯＶと同様なＦＯＶを有する透視画像を生成することができ、血管造影に関する技師および医師に、解剖学的ランドマークを基準として直感的に把握しやすい透視画像を表示することができる。
【００９６】
（変形例）  
本変形例と第２の実施形態との相違は、ステップＳａ６におけるＭＩＰ処理に用いられる視線方向を決定することにある。図１５は、ＭＩＰ処理に用いられる視線方向の決定に関する処理の概要の一例を示す概要図である。
【００９７】
処理回路３４は、画像生成機能３４ｃにより、投影画像における臓器領域と骨領域との相対的な位置関係に基づいて、第１投影方向と視点とを決定する。第１投影方向は、本Ｘ線診断装置１０により被検体Ｐを撮影した撮影方向に対応する。視点は、管球焦点に対応する。処理回路３４は、第１投影方向を基準として、複数の第２投影方向（１乃至ｎ：ｎは自然数）を設定する。複数の第２投影方向は、第１投影方向を中心とした所定の立体角に含まれる異なる投影方向である。なお、複数の第２投影方向は、第１投影方向を有していてもよい。
【００９８】
処理回路３４は、画像生成機能３４ｃにより、複数の第２投影方向各々と視点とを用いてボリュームデータＢＤに対してＭＩＰ処理を実行することにより、複数のＭＩＰ画像（ＳＩ１、・・・、ＳＩｍ、・・・、ＳＩｎ）を生成する。ＭＩＰ画像ＳＩｍは、第1投影方向に最も近い第２投影方向に対応する。例えば、ＭＩＰ画像ＳＩ１およびＭＩＰ画像ＳＩｎは、第１投影方向から−１°離れた方向、第１投影方向から＋１°離れた方向に対応する。例えば、ｎが１１であって、複数の第２投影方向が等角度ずつ離れている場合、ＳＩ６（ｍ＝６）は、第1投影方向に対応するＭＩＰ画像となる。処理回路３４は、生成された複数の最大値投影画像（ＳＩ１、・・・、ＳＩｍ、・・・、ＳＩｎ）各々と投影画像ＰＩとを比較することにより、複数の最大値投影画像のうち投影画像に最も整合する最大値投影画像（以下、最大整合画像と呼ぶ）を特定する。
【００９９】
具体的には、処理回路３４は、画像生成機能３４ｃにより、複数のＭＩＰ画像各々における複数の第１ランドマーク（１ＬＭ１、・・・、１ＬＭｍ、・・・、１ＬＭｎ）と投影画像ＰＩにおける複数の第２ランドマーク２ＬＭとのマッチングにより、最大整合画像を特定する。図１５における最大整合画像は、ＳＩｍのＭＩＰ画像である。処理回路３４は、特定された最大整合画像に対応する第２投影方向を特定する。処理回路３４は、ステップＳａ６において、特定された最大整合画像に関する第２投影方向と視点とを用いたＭＩＰ処理により、骨ＭＩＰ画像と臓器ＭＩＰ画像とを生成する。なお、最大整合画像に対応する第２投影方向の特定は、上記処理に限定されない。
【０１００】
以上に述べた構成および動作によれば、第１の実施形態および第２の実施形態の効果に加えて、以下の効果を得ることができる。  
本変形例におけるＸ線診断装置１０によれば、投影画像における臓器領域と骨領域との相対的な位置関係に基づいて第１投影方向と視点とを決定し、第１投影方向を基準として複数の第２投影方向各々と視点とを用いてボリュームデータに対して最大値投影処理を実行することにより複数の最大値投影画像を生成し、複数の最大値投影画像各々と投影画像とを比較することにより、複数の最大値投影画像のうち投影画像に最も整合する最大値投影画像を特定し、特定された最大値投影画像に関する第２投影方向と視点とを用いて透視画像を生成することができる。これにより、本Ｘ線診断装置１０によれば、投影画像により類似した透視画像を生成することができ、血管造影に関する技師および医師にとって直感的に見やすい透視画像を、提供することができる。
【０１０１】
なお、第２の実施形態および第２の実施形態の変形例に関する上記技術的思想は、画像保管装置２０またはＸ線診断装置１０から投影画像を取得機能３４ａにより取得することで、医用画像処理装置３０および医用画像処理システム１００において実現することができる。
【０１０２】
（第３の実施形態）  
第１の実施形態および第２の実施形態との相違は、ボリュームデータの血管領域における流体解析により、血管領域における複数の位置にそれぞれ対応する複数の解析指標を算出し、算出された複数の解析指標のうち、被検体Ｐの血管内に挿入されたデバイスの先端位置における解析指標と、デバイスにより計測された血管の流体指標とを、透視画像に重畳させて表示することにある。以下、説明を具体的にするために、被検体Ｐの結果に挿入されたデバイスは、プレッシャワイヤであって、デバイスにより計測された血管の流体指標は、血流予備量比（Ｆｒａｃｔｉｏｎａｌ  Ｆｌｏｗ  Ｒｅｓｅｒｖｅ：ＦＦＲと呼ぶ）であるものとする。また、算出機能３４ｅにより計算された解析指標は、ＦＦＲに相当する流体指標である。以下、説明を具体的にするために、プレッシャワイヤにより計測されたＦＦＲを実測ＦＦＲと呼び、算出機能３４ｅにより算出されたＦＦＲを解析ＦＦＲと呼ぶ。
【０１０３】
図１６は、本実施形態における医用画像処理システム１００における医用画像処理装置３０に搭載された処理回路３４の構成の一例を示す図である。なお、図１６に示す処理回路３４は、Ｘ線診断装置などの医用画像診断装置１０に搭載されてもよい。図１６に示す処理回路３４は、図１に示す処理回路３４における各種機能に加えて、特定機能３４ｄと算出機能３４ｅとをさらに有する。特定機能３４ｄを実現する処理回路３４は、特定部の実現手段の一例である。算出機能３４ｅを実現する処理回路３４は、算出部の実現手段の一例である。
【０１０４】
図１７は、解析ＦＦＲと実測ＦＦＲとを透視画像に重畳する処理（以下、流体指標重畳処理と呼ぶ）の手順の一例を示す図である。
【０１０５】
（流体指標重畳処理）  
（ステップＳｄ１）  
処理回路３４は、算出機能３４ｅにより、被検体Ｐの血管（例えば、冠動脈）に挿入されたプレッシャワイヤを用いて、流体指標（実測ＦＦＲ）を計測する。なお、実測ＦＦＲが予め計測され、投影画像に付帯されている場合、処理回路３４は、取得機能３４ａにより、Ｘ線診断装置などの医用画像診断装置１０または画像保管装置２０から投影画像を読み出すとともに、投影画像から実測ＦＦＲを取得する。実測ＦＦＲの計測に関する投影画像は、被検体Ｐの血管における流体指標を計測するために血管内に挿入されたデバイス（プレッシャワイヤ）の先端部分を含むデバイス領域を有する。
【０１０６】
（ステップＳｄ２）  
処理回路３４は、特定機能３４ｄにより、第１ランドマークと第２ランドマークとの位置あわせを実行することにより、透視画像においてプレッシャワイヤの先端位置を特定する。具体的には、処理回路３４は、まず、投影画像におけるプレッシャワイヤの先端部分の位置を示す先端位置を、セグメンテーション処理により特定する。
【０１０７】
図１８は、投影画像ＰＩにおけるプレッシャワイヤＰＷと実測ＦＦＲとの一例を示す図である。図１８におけるＴＩＰは、プレッシャワイヤＰＷの先端位置を示している。図１８におけるＦＦＲ：０．６は、実測ＦＦＲの値を示している。
【０１０８】
次いで、処理回路３４は、透視画像における第１ランドマークと、投影画像における第２ランドマークとを用いて、透視画像と投影画像との位置合わせを実行する。続いて、処理回路３４は、位置合わせの結果と投影画像において特定された先端位置ＴＩＰとを用いて、透視画像における先端位置を特定する。
【０１０９】
（ステップＳｄ３）  
処理回路３４は、算出機能３４ｅにより、ボリュームデータの臓器領域における血管領域に対する流体解析を実行し、血管領域における複数の位置にそれぞれ対応する複数の解析指標（解析ＦＦＲ）を算出する。流体解析は、例えば、計算流体力学によるシミュレーションに対応し、既存の方法で計算される。
【０１１０】
（ステップＳｄ４）  
ディスプレイ３２は、複数の解析指標のうち先端位置における解析指標と、流体指標とを、透視画像に重畳させて表示する。具体的には、処理回路３４は、特定機能３４ｄにより、複数の解析ＦＦＲのうち先端位置に対応する解析ＦＦＲを特定する。次いで、処理回路３４は、透視画像において、特定された解析ＦＦＲと指標と実測ＦＦＲとを透視画像に重畳する位置（以下、ＦＦＲ重畳位置と呼ぶ）を決定する。ＦＦＲ重畳位置は、例えば、先端位置の近傍であって、実測ＦＦＲに関する血管に重複しない位置である。ディスプレイ３２は、制御機能による制御のもとで、透視画像におけるＦＦＲ重畳位置に、解析ＦＦＲと実測ＦＦＲとを重畳させて表示する。このとき、透視画像には、図１０に示すように、デバイスとしてプレッシャワイヤのモデル（以下、ワイヤモデルと呼ぶ）が重畳されてもよい。
【０１１１】
図１９は、解析ＦＦＲと実測ＦＦＲとワイヤモデルＷＭとが重畳された透視画像ＦＬＩの一例を示す図である。図１９に示すように、透視画像ＦＬＩにおいて、先端位置ＴＩＰの近傍には、実測ＦＦＲ（ＦＦＲ：０．６）と、解析ＦＦＲ（ＣＴ−ＦＦＲ：０．６２）とが表示される。
【０１１２】
以上に述べた構成および動作によれば、第１の実施形態および第２の実施形態における効果に加えて、以下の効果を得ることができる。  
本実施形態における医用画像処理装置３０によれば、投影画像は被検体Ｐの血管における流体指標を計測するために血管内に挿入されたデバイスの先端部分を含むデバイス領域を有し、透視画像における第１ランドマークと投影画像における第２ランドマークとを用いて透視画像と投影画像との位置合わせを実行することにより、透視画像において先端部分の位置を示す先端位置を特定し、ボリュームデータの血管領域における流体解析により、流体指標に対応し血管領域における複数の位置にそれぞれ対応する複数の解析指標を算出し、複数の解析指標のうち先端位置における解析指標と流体指標とを、透視画像に重畳させて表示することができる。
【０１１３】
これにより、本医用画像処理装置３０によれば、アンギオ画像に類似した透視画像の先端位置において、解剖学的ランドマークを基準として、操作者は実測された流体指標と算出された解析指標とをより容易に把握することができ、診断効率を向上させることができる。
【０１１４】
（第１の応用例）  
本応用例は、血管領域においてデバイスを挿入可能な限界位置を特定し、特定された限界位置を透視画像に重畳させてディスプレイ３２に表示することにある。
【０１１５】
入力インターフェース３１は、操作者の指示により、透視画像の血管領域に対して、デバイスが血管に挿入される限界を示す位置（以下、限界位置と呼ぶ）を入力する。なお、限界位置の入力の代わりに、血管領域の下流の先端近傍などの位置（以下、指定位置と呼ぶ）が入力されてもよい。このとき、処理回路３４は、特定機能３４ｄにより、ボリュームデータの血管領域のうち、指定位置から境界位置までの経路（以下、指定経路と呼ぶ）に亘る血管径とデバイスの直径とに基づいて、指定経路における被検体Ｐの血管において限界位置を特定する。以下、説明を具体的にするために、デバイスは、プレッシャワイヤであるものとして説明する。
【０１１６】
ディスプレイ３２は、入力された限界位置または特定された限界位置を透視画像に重畳させて表示する。図２０は、透視画像ＦＬＩに限界位置ＬＩＰが重畳された一例を示す図である。なお、ディスプレイ３２は、算出機能３４ｅにより算出された複数の解析指標のうち、血管領域において限界位置より上流部分および限界位置における解析指標を、透視画像にさらに重畳させて表示してもよい。図２１は、限界位置ＬＩＰを含む上流部分における複数の解析ＦＦＲ（ＣＴ−ＦＦＲ）と限界位置ＬＩＰとが透視画像ＦＬＩに重畳された一例を示す図である。図２１に示すように、解析ＦＦＲは、解析ＦＦＲの値の大きさに対応する丸印の数で、限界位置ＬＩＰを含む血管の上流部分において透視画像ＦＬＩに重畳されて表示される。
【０１１７】
なお、透視画像ＦＬＩに重畳される解析ＦＦＲは、透視画像ＦＬＩにおいて、限界位置ＬＩＰを境界として複数の解析指標の表示態様を異ならせてディスプレイ３２に表示されてもよい。図２２は、透視画像ＦＬＩに重畳された限界位置ＬＩＰと解析ＦＦＲ（ＣＴ−ＦＦＲ）との一例を示す図である。図２２に示すように、限界位置ＬＩＰより下流の位置における解析ＦＦＲは、限界位置ＬＩＰを境界として異なる表示態様（丸印と三角印）とで表されている。なお、異なる表示態様は、印の形状に限定されず、色相などであってもよい。
【０１１８】
また、解析ＦＦＲは、血管領域の複数の位置各々において、透視画像ＦＬＩに重畳されてもよい。図２３は、臓器領域に隣接する血管領域の複数点各々の近傍に解析ＦＦＲを重畳した透視画像ＦＬＩの一例を示す図である。図２３に示すように、透視画像ＦＬＩにおける血管領域において、算出された複数の解析ＦＦＲは、解析ＦＦＲの値に応じた丸印の数で透視画像ＦＬＩに重畳されてディスプレイ３２に表示される。透視画像ＦＬＩにおける解析ＦＦＲの値を示す印（丸印および三角印）の位置は、図２１乃至図２３に示す位置に限定されず、例えば、入力インターフェース３１を介した操作者の指示により、任意に設定可能である。
【０１１９】
なお、ディスプレイ３２は、解析ＦＦＲが重畳された透視画像に、実測ＦＦＲが重畳された投影画像を重畳させて表示してもよい。また、ディスプレイ３２は、実測ＦＦＲが重畳された投影画像に解析ＦＦＲが重畳された透視画像を重畳させて表示してもよい。また、ディスプレイ３２は、実測ＦＦＲが重畳された投影画像と解析ＦＦＲが重畳された透視画像とを並列表示してもよい。このとき、ディスプレイ３２は、実測ＦＦＲが重畳された投影画像ＰＩと解析ＦＦＲが重畳された透視画像ＦＬＩとを、図１４のように並列表示する。
【０１２０】
以上に述べた構成および動作によれば、第１乃至第３の実施形態における以下の効果を得ることができる。  
本応用例における医用画像処理装置３０によれば、血管領域における血管径とデバイスの直径とに基づいて、血管においてデバイスが挿入可能な限界位置ＬＩＰを特定し、限界位置ＬＩＰを透視画像ＦＬＩに重畳させて表示することができる。また、本医用画像処理装置３０によれば、算出された複数の解析指標のうち、血管領域において限界位置ＬＩＰより上流部分における解析指標を、透視画像ＦＬＩに重畳させて表示することができる。また、本医用画像処理装置３０によれば、透視画像ＦＬＩにおいて、限界位置ＬＩＰを境界として複数の解析指標の表示態様を異ならせて表示することができる。また、透視画像ＦＬＩに投影画像ＰＩを重畳させて表示する、または流体指標が重畳された投影画像ＰＩと複数の解析指標が重畳された透視画像ＦＬＩとを並列表示することができる。
【０１２１】
これらのことから、本医用画像処理装置３０によれば、透視撮影に準拠した解剖学的ランドマークを有する透視画像に解析指標およびデバイスの限界挿入位置が重畳されるため、被検体Ｐに対する透視撮影のもとでの画像下治療（Ｉｎｔｅｒｖｅｎｔｉｏｎａｌ  ｒａｄｉｏｌｏｇｙ：以下、ＩＶＲと呼ぶ）の実行の有無に対する医師の判断に寄与することができる。これにより、本医用画像処理装置３０によれば、不要なＩＶＲの実行を避けることができ、被検体Ｐに対する被爆の低減すること、および検査効率を向上させることができる。
【０１２２】
（第２の応用例）  
本応用例は、透視画像における右冠動脈と左冠動脈とのうち選択されたいずれか一方の冠動脈に造影剤を流入させた計算結果を透視画像に重畳させて表示することにある。本応用例において、ボリュームデータは、被検体Ｐにおける右冠動脈および左冠動脈に対応する冠動脈領域を有する。なお、冠動脈領域における右冠動脈および左冠動脈各々は、特定機能３４ｄにおけるセグメンテーション処理およびアトラスとの比較等により、透視画像において他の領域と弁別されて特定されてもよい。
【０１２３】
入力インターフェース３１は、操作者に指示により、透視画像における右冠動脈と左冠動脈とのうちいずれか一方の冠動脈を選択する指示（以下、冠動脈選択指示と呼ぶ）を入力する。冠動脈選択指示の入力は、例えば、透視画像における冠動脈を指定することに相当する。なお、冠動脈選択指示として、透視画像における冠動脈の指定に限定されず、例えば、「左冠動脈」または「右冠動脈」などの冠動脈の名称が操作者により入力されてもよい。このとき、処理回路３４は、特定機能３４ｄにより、入力された冠動脈の名称に対応する冠動脈の領域を、透視画像において特定する。
【０１２４】
処理回路３４は、算出機能３４ｅにより、冠動脈選択指示に応じて、選択された冠動脈に造影剤を流入させた計算を実行する。この計算は、例えば、ボリュームデータを用いて冠動脈に造影剤を流入させた流体解析のシミュレーションに相当する。処理回路３４は、画像生成機能３４ｃにより、計算の結果すなわちシミュレーション結果を、透視画像に重畳させる。
【０１２５】
ディスプレイ３２は、シミュレーション結果が重畳された透視画像を表示する。図２４は、シミュレーション結果に対応する領域（以下、シミュレーション領域と呼ぶ）ＳＲが重畳された透視画像ＦＬＩの一例を示す図である。図２４に示すように、選択された一方の冠動脈に対するシミュレーション領域ＳＲが重畳された透視画像ＦＬＩは、図１８に示す投影画像ＰＩに類似する画像としてディスプレイ３２に表示される。
【０１２６】
以上に述べた構成および動作によれば、第１乃至第３の実施形態に加えて、以下の効果を得ることができる。  
本応用例における医用画像処理装置３０によれば、ボリュームデータは被検体Ｐにおける右冠動脈および左冠動脈に対応する冠動脈領域を有し、右冠動脈または左冠動脈に対する選択指示に応じて、選択された冠動脈に造影剤を流入させた計算を実行し、計算の結果を、透視画像に重畳させることができる。これにより、本医用画像処理装置３０によれば、透視撮影に準拠した解剖学的ランドマークを有する透視画像に造影剤の流入よるシミュレーション結果が重畳されるため、医師等の操作者は、被検体Ｐに対する透視撮影下における造影剤の流入の状態を、透視撮影を行うことなく把握することができ、ＩＶＲの実行の有無に対する医師の判断に寄与することができる。これにより、本医用画像処理装置３０によれば、不要なＩＶＲの実行を避けることができ、被検体Ｐに対する被爆の低減すること、および検査効率を向上させることができる。
【０１２７】
以上に説明した実施形態、変形例、応用例等の医用画像処理装置３０によれば、ボリュームデータに基づいて解剖学的な位置関係を容易に把握可能な画像を生成することができる。これにより、検査効率を向上させることができる。
【０１２８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１２９】
１０…医用画像診断装置（Ｘ線診断装置）
１１…高電圧発生器
１３…Ｘ線管
１５…Ｘ線絞り装置
１７…Ｘ線検出器
１９…支持フレーム
２０…画像保管装置
２１…天板
３０…医用画像処理装置
３１…入力インターフェース
３２…ディスプレイ
３３…メモリ
３４…処理回路
３４ａ…取得機能
３４ｂ…変形機能
３４ｃ…画像生成機能
３４ｄ…特定機能
３４ｅ…算出機能
１００…医用画像処理システム
１３１…最大照射範囲
１３５…管球焦点
３４１…システム制御機能
１ＬＭ１、１ＬＭｍ、１ＬＭｎ…第１ランドマーク
２ＬＭ…第２ランドマーク
ＢＤ…ボリュームデータ
ＢＭＩＰ…骨ＭＩＰ画像
ＢＲ…骨領域
ＣＡＬＭＥ…石灰化領域
ＦＬＩ…透視画像
ＬＩＰ…限界位置
ＰＩ…投影画像
ＰＬＲＥ…プラーク領域
ＰＲ…配置経路
ＰＷ…プレッシャワイヤ
ＳＲ…シミュレーション領域
ＴＩＰ…先端位置
ＴＭＩＰ…臓器ＭＩＰ画像
Ｖｃａｔｈ…カテーテルモデル
ＷＭ…ワイヤモデル
【図１】
2020058637.tif 000003
【図２】
2020058637.tif 000004
【図３】
2020058637.tif 000005
【図４】
2020058637.tif 000006
【図５】
2020058637.tif 000007
【図６】
2020058637.tif 000008
【図７】
2020058637.tif 000009
【図８】
2020058637.tif 000010
【図９】
2020058637.tif 000011
【図１０】
2020058637.tif 000012
【図１１】
2020058637.tif 000013
【図１２】
2020058637.tif 000014
【図１３】
2020058637.tif 000015
【図１４】
2020058637.tif 000016
【図１５】
2020058637.tif 000017
【図１６】
2020058637.tif 000018
【図１７】
2020058637.tif 000019
【図１８】
2020058637.tif 000020
【図１９】
2020058637.tif 000021
【図２０】
2020058637.tif 000022
【図２１】
2020058637.tif 000023
【図２２】
2020058637.tif 000024
【図２３】
2020058637.tif 000025
【図２４】
2020058637.tif 000026